【事件の表示】
　特許第３２６３７８９号「撮像装置」の請求項１ないし４に係る特許に対する特許異議の申立てについて、次のとおり決定する。
【結　論】
　訂正を認める。
　特許第３２６３７８９号の請求項１ないし４に係る特許を維持する。
【理　由】
第１　手続の経緯
　本件に係る特許第３２６３７８９号の特許請求の範囲（請求項の数４）に記載された発明は、平成４年４月８日に出願され、平成１３年１２月２８日にその特許の設定登録がなされ、その後、特許異議の申立がなされ、取消理由通知がなされ、その指定期間内である平成１５年１月１４日に訂正請求がなされたものである。
　
第２　訂正請求の適否について
　１　本件訂正発明
　　訂正明細書の特許請求の範囲（請求項の数４）に記載された発明（以下「本件訂正発明」という。）は、次に掲げるとおりのものである。（下線が訂正部分）
　　【請求項１】 所望の被写体を撮像する撮像手段と、
　上記撮像手段の出力を、所定の操作に応じて段階的に切り換えられる増幅率で増幅するアナログ信号処理回路と、
　上記アナログ信号処理回路の出力をデイジタル信号に変換するアナログデイジタル変換回路と、
　上記デイジタル信号に対してデイジタル信号処理を行うデイジタル信号処理回路と、
　上記デイジタル信号の黒レベルを検出する信号レベル検出回路と、
　上記デイジタル信号処理回路の出力に対してガンマ補正を行うビデオプロセス回路とを具え、
　
調整モード時、
は、上記信号レベル検出回路の黒レベル再検出結果に基づいて、
　　【請求項２】 
上記段階的に切り換えられた増幅率について、上記アナログ信号処理回路において、粗調整した後、
　　【請求項３】 上記デイジタル信号処理回路は、フレア補正データを補正し、当該フレア補正データに基づいて上記デイジタル信号のフレアを補正することにより、上記ビデオ信号の黒レベルを微調整することを特徴とする請求項１に記載の撮像装置。
　　【請求項４】 上記信号レベル検出回路は、偶数フイールド及び奇数フイールド毎に黒レベル検出結果を得、
　上記デイジタル信号処理回路は、上記黒レベル検出結果に基づいて偶数フイールド及び奇数フイールド間で黒レベルの調整を切り換えることを特徴とする請求項１に記載の撮像装置。
　
　２　訂正事項
　　訂正請求による訂正は、次に掲げる訂正事項(1)ないし(5)である。
 　(1) 特許請求の範囲の減縮を目的として、訂正前請求項１の「上記信号レベル検出回路の黒レベル検出結果に基づいて、」の前に、「調整モード時、」を加入する。
 　(2) 特許請求の範囲の減縮を目的として、訂正前請求項１の「上記デイジタル信号処理回路で」を、「上記デイジタル信号処理回路は、上記信号レベル検出回路の黒レベル再検出結果に基づいて、」と訂正する。
 　(3) 特許請求の範囲の減縮を目的として、訂正前請求項２の「上記デイジタル信号処理回路は、」の前に、「上記段階的に切り換えられた増幅率について、上記アナログ信号処理回路において粗調整した後、」を加入する。
 　(4) 明りようでない記載の釈明を目的として、本件特許明細書の段落番号【０００８】を以下のとおり訂正する。（下線が訂正部分）
【０００８】
【課題を解決するための手段】
　かかる課題を解決するため第１の発明においては、所望の被写体を撮像する撮像手段２と、撮像手段２の出力を、所定の操作に応じて段階的に切り換えられる増幅率で増幅するアナログ信号処理回路１６と、アナログ信号処理回路１６の出力をデイジタル信号に変換するアナログデイジタル変換回路１８と、デイジタル信号に対してデイジタル信号処理を行うデイジタル信号処理回路２０と、デイジタル信号の黒レベルを検出する信号レベル検出回路５４と、デイジタル信号処理回路２０の出力に対してガンマ補正を行うビデオプロセス回路２４とを具え、
調整モード時、
は、信号レベル検出回路５４の黒レベル再検出結果に基づいて、
 　(5) 明りようでない記載の釈明を目的として、本件特許明細書の段落番号【０００９】を以下のとおり訂正する。（下線が訂正部分）
【０００９】
　さらに第２の発明において、
段階的に切り換えられた増幅率について、アナログ信号処理回路１６において粗調整した後、
　
　３　訂正事項の適否についての結論
　　上記訂正事項(1)ないし(3)は、特許請求の範囲を減縮する訂正である。
　　上記訂正事項(4)(5)は、特許請求の範囲の訂正に伴って、不明りょうとなる記載の訂正である。
　　したがって、上記訂正事項(1)ないし(5)は、特許法第１２０条の４第２項ただし書き第１，３号に規定する特許請求の範囲の減縮、明りょうでない記載の釈明を目的とするものであり、また、同法第１２０条の４第３項で準用する同法第１２６条第２，３項に規定する願書に添付した明細書及び図面に記載した事項の範囲内であり、実質上特許請求の範囲を拡張し、又は変更するものではないから、上記訂正を認める。
　
第３　本件訂正発明と刊行物発明との対比・検討
　１　刊行物
　　当審の取消理由で引用した刊行物１ないし４は次に掲げるものである。
　　刊行物１：特開平３−１８５９７５号公報（異議申立人が提出した甲第１号証）
　　刊行物２：特開平３−２８５４７１号公報（同甲第２号証）
　　刊行物３：特開平１−２３５４８５号公報（同甲第３号証）
　　刊行物４：特公昭５６−５１６７３号公報（同参考資料）
　
　　刊行物１ないし４には、次に掲げる(1)ないし(4)が記載されている。
　　(1) 刊行物１
　　　　本件訂正発明と対比してみると、刊行物１には、次に示す撮像装置が記載されている。
「所望の被写体を撮像する撮像手段と、
　上記撮像手段の出力を、増幅するアナログ信号処理回路と、
　上記アナログ信号処理回路の出力をデイジタル信号に変換するアナログデイジタル変換回路と、
　上記デイジタル信号に対してデイジタル信号処理を行うデイジタル信号処理回路と、
　上記デイジタル信号のクランプレベルを検出する信号レベル検出回路と、
　上記デイジタル信号処理回路の出力に対してガンマ補正を行うビデオプロセス回路とを具え、
　上記信号レベル検出回路のクランプレベル検出結果に基づいて、上記アナログ信号処理回路で上記撮像手段の出力のクランプレベルを自動的に粗調整した後、上記デイジタル信号処理回路で上記デイジタル信号のクランプレベルを自動的に微調整することを特徴とする撮像装置」
　　(2) 刊行物２
　　　ビデオカメラの逆光撮影時の補正に関して、逆光撮影におけるフレアによる輝度レベル上昇を解消し、被写体の再現性を向上させること
　　(3) 刊行物３
　　　１フレームの静止画像を蓄積して読み出す撮像装置に関して、第１フィールドと第２フィールドでは暗電流雑音レベルが異なってしまうという問題を解決するために、フィールド毎の暗電流成分差をなくし、フリッカーの発生をなくした静止画像を得ることのできる撮像装置
　　(4) 刊行物４
　　　映像信号記録装置に関し、奇数フィールド期間と偶数フィールド期間とでクランプレベルが異なるように切り換えること
　
　２　本件訂正発明と刊行物発明との対比
　　本件訂正発明と刊行物１ないし４に記載された発明とを対比すると、刊行物１ないし４の発明は、本件訂正発明おける「
調整モード時、
は、上記信号レベル検出回路の黒レベル再検出結果に基づいて、
　　そして、本件訂正発明は、上記主要な事項により、「従来、この種の撮像装置においては、ブラツクセツト調整することにより、撮像信号の増幅率を切り換えた場合でも、黒レベルが変動しないようになされている。（段落【０００３】【従来の技術】）本発明は以上の点を考慮してなされたもので、簡易にブラツクセツト調整し得、かつブラツクセツト調整精度を向上することができる撮像装置を提案しようとするものである。（段落【０００７】）という目的を達成し、「上述のように本発明によれば、信号レベル検出回路の黒レベル検出結果に基づいて、アナログ信号処理回路で撮像手段の出力の黒レベルを自動的に粗調整した後、デイジタル信号処理回路でデイジタル信号の黒レベルを自動的に微調整することにより、アナログ信号処理回路のみで黒レベルの調整を行う場合のように、黒レベルのオフセツトが増幅されることによつて黒レベル調整の精度が劣化をすることを回避することができ、これによりブラツクセツト調整の精度を向上することができる撮像装置を得ることができる。」（段落【００９３】【発明の効果】）という効果を奏するものと認められる。
　　したがって、本件訂正発明は、刊行物１ないし４の発明に基いて当業者が容易に発明をすることができたものとは認められない。
　
第４　むすび
　以上、本件訂正発明は、刊行物１ないし４の発明に基いて当業者が容易に発明をすることができたものとは認められない。
　また、他に本件訂正発明に係る特許を取り消すべき理由を発見しない。
　よって、結論のとおり決定する。
【異議決定日】
平成１５年２月１７日（２００３．２．１７）
【訂正の要旨】
（イ）訂正事項ａ
　特許請求の範囲の減縮を目的として、訂正前請求項１の「上記信号レベル検出回路の黒レベル検出結果に基づいて、」の前に、「調整モード時、」を加入する。
（ロ）訂正事項ｂ
　特許請求の範囲の減縮を目的として、訂正前請求項１の「上記デイジタル信号処理回路で」を、「上記デイジタル信号処理回路は、上記信号レベル検出回路の黒レベル再検出結果に基づいて、」と訂正する。
（ハ）訂正事項ｃ
　特許請求の範囲の減縮を目的として、訂正前請求項２の「上記デイジタル信号処理回路は、」の前に、「上記段階的に切り換えられた増幅率について、上記アナログ信号処理回路において粗調整した後、」を加入する。
（ニ）訂正事項ｄ
　明りようでない記載の釈明を目的として、本件特許明細書の段落番号〔０００８〕を以下の通り訂正する。
「【０００８】
　【課題を解決するための手段】かかる課題を解決するため第１の発明においては、所望の被写体を撮像する撮像手段２と、撮像手段２の出力を、所定の操作に応じて段階的に切り換えられる増幅率で増幅するアナログ信号処理回路１６と、アナログ信号処理回路１６の出力をデイジタル信号に変換するアナログデイジタル変換回路１８と、デイジタル信号に対してデイジタル信号処理を行うデイジタル信号処理回路２０と、デイジタル信号の黒レベルを検出する信号レベル検出回路５４と、デイジタル信号処理回路２０の出力に対してガンマ補正を行うビデオプロセス回路２４とを具え、調整モード時、信号レベル検出回路５４の黒レベル検出結果に基づいて、アナログ信号処理回路１６で撮像手段２の出力の黒レベルを自動的に粗調整した後、デイジタル信号処理回路２０、２４は、信号レベル検出回路５４の黒レベル再検出結果に基づいて、デイジタル信号の黒レベルを微調整する。」
（ホ）訂正事項ｅ
　明りようでない記載の釈明を目的として、本件特許明細書の段落番号〔０００９〕を以下の通り訂正する。
「【０００９】さらに第２の発明において、段階的に切り換えられた増幅率について、アナログ信号処理回路１６において粗調整した後、デイジタル信号処理回路２０、２４は、ペデスタルレベル設定用の補正データＤＰの信号レベルを補正し、当該補正データに基づいてデイジタル信号のペデスタルレベルを所定値に設定することにより、ビデオ信号ＳＶの黒レベルを微調整する。」
（５４）【発明の名称】
撮像装置
（５７）【特許請求の範囲】
　【請求項１】
　所望の被写体を撮像する撮像手段と、
　上記撮像手段の出力を、所定の操作に応じて段階的に切り換えられる増幅率で増幅するアナログ信号処理回路と、
　上記アナログ信号処理回路の出力をデイジタル信号に変換するアナログデイジタル変換回路と、
　上記デイジタル信号に対してデイジタル信号処理を行うデイジタル信号処理回路と、
　上記デイジタル信号の黒レベルを検出する信号レベル検出回路と、
　上記デイジタル信号処理回路の出力に対してガンマ補正を行うビデオプロセス回路とを具え、
　
調整モード時、
は、上記信号レベル検出回路の黒レベル再検出結果に基づいて、
　【請求項２】
　
上記段階的に切り換えられた増幅率について、上記アナログ信号処理回路において粗調整した後、
　【請求項３】
　上記デイジタル信号処理回路は、フレア補正データを補正し、当該フレア補正データに基づいて上記デイジタル信号のフレアを補正することにより、上記ビデオ信号の黒レベルを微調整することを特徴とする請求項１に記載の撮像装置。
　【請求項４】
　上記信号レベル検出回路は、偶数フイールド及び奇数フイールド毎に黒レベル検出結果を得、
　上記デイジタル信号処理回路は、上記黒レベル検出結果に基づいて偶数フイールド及び奇数フイールド間で黒レベルの調整を切り換えることを特徴とする請求項１に記載の撮像装置。
【発明の詳細な説明】
　【０００１】
　【目次】
　以下の順序で本発明を説明する。
産業上の利用分野
従来の技術
発明が解決しようとする課題
課題を解決するための手段（図１〜図５）
作用（図１〜図５）
実施例
（１）全体構成（図１）
（２）デイジタル信号処理回路（図２）
（３）ゲート信号生成回路（図３）
（４）レベル検出回路（図４）
（５）中央処理ユニツト（図５〜図７）
（６）実施例の効果
（７）他の実施例
発明の効果
　【０００２】
　【産業上の利用分野】
　本発明は撮像装置に関し、例えばテレビジヨンカメラに適用し得る。
　【０００３】
　【従来の技術】
　従来、この種の撮像装置においては、ブラツクセツト調整することにより、撮像信号の増幅率を切り換えた場合でも、黒レベルが変動しないようになされている。
　【０００４】
　すなわちこの種の撮像装置においては、固体撮像素子から出力される撮像信号を色信号に変換して所定レベルに増幅し、撮像画像が暗いときなど利得切り換え操作子の操作に応動してこの増幅率を切り換え得るようになされている。
　【０００５】
　このとき撮像装置においては、予めメモリ回路に格納した補正データをアナログ信号に変換して色信号に加減算することにより、各色信号間で黒レベルが等しくなるように信号レベルを補正し、さらに利得切り換えの操作子の操作に応動してこの補正データを切り換えることにより、黒レベルが変動しないようになされている。
　【０００６】
　【発明が解決しようとする課題】
　ところで撮像装置においては、組み立て時、各色信号の黒レベルを検出し、この検出結果に基づいて補正データをセツトするようになされている。この調整作業を簡略化し、さらには調整精度を向上することができれば、便利であり、又画質も向上し得る。
　【０００７】
　本発明は以上の点を考慮してなされたもので、簡易にブラツクセツト調整し得、かつブラツクセツト調整精度を向上することができる撮像装置を提案しようとするものである。
　【０００８】
　【課題を解決するための手段】
　かかる課題を解決するため第１の発明においては、所望の被写体を撮像する撮像手段２と、撮像手段２の出力を、所定の操作に応じて段階的に切り換えられる増幅率で増幅するアナログ信号処理回路１６と、アナログ信号処理回路１６の出力をデイジタル信号に変換するアナログデイジタル変換回路１８と、デイジタル信号に対してデイジタル信号処理を行うデイジタル信号処理回路２０と、デイジタル信号の黒レベルを検出する信号レベル検出回路５４と、デイジタル信号処理回路２０の出力に対してガンマ補正を行うビデオプロセス回路２４とを具え、
調整モード時、
は、信号レベル検出回路５４の黒レベル再検出結果に基づいて、
　【０００９】
　さらに第２の発明において、
段階的に切り換えられた増幅率について、アナログ信号処理回路１６において粗調整した後、
　【００１０】
　さらに第３の発明において、デイジタル信号処理回路２０、２４は、フレア補正データＤＦを補正し、当該フレア補正データに基づいてデイジタル信号のフレアを補正することにより、ビデオ信号ＳＶの黒レベルを微調整する。
　【００１１】
　【作用】
　アナログ信号処理回路１６で撮像手段２の出力の黒レベルを自動的に粗調整した後、デイジタル信号処理回路２０、２４でデイジタル信号の黒レベルを自動的に微調整すれば、簡易かつ高い精度でブラツクセツト調整することができる。このときペデスタルレベル設定用の補正データＤＰの信号レベルを補正し、当該補正データに基づいてデイジタル信号のペデスタルレベルを所定値に設定し、ビデオ信号ＳＶの黒レベルを微調整することにより、全体構成を簡略化することができる。同様にフレア補正データＤＦを補正し、当該フレア補正データに基づいてデイジタル信号のフレアを補正し、ビデオ信号ＳＶの黒レベルを微調整することにより、全体構成を簡略化することができる。
　【００１２】
　【実施例】
　以下図面について、本発明の一実施例を詳述する。
　【００１３】
（１）全体構成
　図１において、１は全体として撮像装置を示し、固体撮像素子（ＣＣＤ）２を駆動して所望の被写体を撮像する。
　【００１４】
　すなわち撮像装置１は、タイミングジエネレータ（ＴＧ）４で基準信号を生成し、この基準信号で固体撮像素子２を駆動する。撮像装置１は、固体撮像素子２の前面に絞り６、ズームレンズ８を配置し、これにより固体撮像素子２の撮像面に、所望の倍率及び明るさで被写体の画像を結像する。
　【００１５】
　このとき中央処理ユニツト（ＣＰＵ）１０は、ズーム位置検出回路１２で撮像画像の倍率を検出し、この検出結果に基づいて絞り６の制御を切り換え、これにより倍率が変化した場合でもユーザの所望する明るさで被写体を撮像し得るようになされている。
　【００１６】
　さらに撮像装置１は、相関二重サンプリングの手法を適用して固体撮像素子２の出力信号をサンプルホールド回路（Ｓ／Ｈ）１４でサンプルホールドし、その結果得られる撮像信号Ｓ１をＶＡブロツク回路１６に出力する。
　【００１７】
　ＶＡブロツク回路１６は、撮像信号Ｓ１から各色信号を生成した後、所定の増幅率で増幅し、このとき各色信号の信号レベルを補正することにより、シエーデイング補正等し得るようになされ、さらに増幅率を切り換えてホワイトバランス調整、ゲインアツプ調整し得るようになされている。
　【００１８】
　アナログデイジタル変換回路（Ａ／Ｄ）１８は、ＶＡブロツク回路１６から出力される色信号ＳＲ〜ＳＢをデイジタル信号に変換して出力する。
　【００１９】
　デイジタル信号処理回路２０は、所定の検出回路で各色信号ＳＲ〜ＳＢの信号レベルを検出することにより、ブラツクセツト調整用、ブラツクバランス調整用、ホワイトバランス調整用、絞り調整用、フレア補正用のデータ検出処理を実行し、必要に応じて検出結果を中央処理ユニツト１０に出力する。これにより撮像装置１においては、このデータ検出結果に基づいて中央処理ユニツト１０で各信号処理回路を制御することにより、ホワイトバランス調整等し得るようになされている。
　【００２０】
　さらにデイジタル信号処理回路２０は、データ検出結果に基づいて、各色信号の信号レベルを補正することにより、フレア補正すると共に、シエーデイング補正用の補正信号ＳＨを生成し、この補正信号ＳＨをデイジタルアナログ変換回路（Ｄ／Ａ）２２を介してＶＡブロツク回路１６に出力する。これにより撮像装置１においては、デイジタル信号処理回路２０で生成した補正信号ＳＨを使用してシエーデイング補正する。
　【００２１】
　ビデオプロセス回路２４は、デイジタル信号処理回路２０で処理された色信号を受け、ガンマ処理、ニー処理した後、ペデスタルレベルを設定する。続くエンコーダ回路２６は、各色信号を輝度信号及び色差信号に変換した後、ビデオ信号に変換して出力する。
　【００２２】
　これにより撮像装置１においては、所望の被写体を撮像してそのビデオ信号ＳＶを出力し得るようになされている。
　【００２３】
（２）デイジタル信号処理回路
　図２に示すように、デイジタル信号処理回路２０は、テスト信号発生回路３０で種々のテスト信号ＴＳを生成してセレクタ３２Ｒ、３２Ｇ、３２Ｂ及び３４Ｒ、３４Ｇ、３４Ｂに出力するようになされ、このとき中央処理ユニツト１０の出力信号に基づいてこのテスト信号を切り換える。これによりデイジタル信号処理回路２０は、調整モードにおいて、必要に応じて種々のテスト信号ＴＳを使用してＶＡブロツク回路１６等を調整し得るようになされ、自己診断モードにおいて、全体の動作を確認し得るようになされている。
　【００２４】
　さらにデイジタル信号処理回路２０は、デイジタル信号でなる各色信号ＳＲ〜ＳＢをクランプレベル検出回路３６に与え、ここで所定のタイミングで各色信号ＳＲ〜ＳＢの信号レベルを検出する。さらにデイジタル信号処理回路２０は、この信号レベル検出結果をクランプ回路（図示せず）に出力し、これにより各色信号ＳＲ〜ＳＢのクランプレベルを設定する。
　【００２５】
　セレクタ３２Ｒ〜３２Ｂは、通常の動作モードにおいて、各色信号ＳＲ〜ＳＢを選択して欠陥補正回路３８に出力するのに対し、自己診断モードにおいては、所定のタイミングで接点を切り換え、これにより垂直ブランキング期間の１水平走査期間の間、色信号ＳＲ〜ＳＢに代えてテスト信号を選択出力する。これに対して調整モードにおいて、セレクタ３２Ｒ〜３２Ｂは、中央処理ユニツト１０で制御されることにより、各調整項目に応じて所定のタイミングで接点を切り換え、これにより撮像装置１においては、色信号ＳＲ〜ＳＢに代えて各種テスト信号を出力するようになされ、簡易に各種項目を調整し得るようになされている。
　【００２６】
　欠陥自動検出回路４０は、各色信号の信号レベルを連続的にモニタすることにより、固体撮像素子２の欠陥画素を検出し、この欠陥画素の位置を所定のメモリ回路に格納する。欠陥補正回路３８は、このメモリ回路の内容に従つて、欠陥画素の位置で補間演算処理を実行する。これにより欠陥補正回路３８は、欠陥画素について周囲の画素から補正用の色信号を生成し、生成した色信号で欠陥画素の色信号を置き換える。これにより欠陥補正回路３８は、固体撮像素子２に欠陥が発生した場合でも、画質が大幅に劣化しないようになされている。
　【００２７】
　加算回路４２Ｒ〜４２Ｂは、フレア補正回路４４から出力されるフレア補正信号を各色信号に加算し、これにより撮像画像のフレアを補正する。なおフレア補正回路４４は、中央処理ユニツト１０の演算結果に基づいてフレア補正信号を生成するようになされ、これにより撮像装置１においては、簡易な調整作業でフレア補正し得るようになされている。
　【００２８】
　セレクタ４６Ｒ〜４６Ｂは、加算回路４２Ｒ〜４２Ｂの出力信号を続くビデオプロセス回路２４に出力し、このとき選択信号ＳＥＬ１の信号レベルが切り換わると接点を切り換えることにより、出力信号の信号レベルを０レベルに立ち下げる。これにより撮像装置１においては、調整モード等において、必要に応じてビデオプロセス回路２４の入力レベルを０レベルに立ち下げ、ビデオプロセス回路２４以降の回路ブロツクを簡易に調整し得るようになされている。
　【００２９】
　ローパスフイルタ回路（ＬＰＦ）４８は、欠陥補正回路３８から出力される色信号について、高域成分を抑圧することによりノイズ成分を除去して出力する。シエーデイング補正回路５０及び５２は、ローパスフイルタ回路４８の出力信号に基づいて、シエーデイング補正信号ＳＨ１、ＳＨ２を作成し、この実施例の場合それぞれシエーデイング補正信号ＳＨ１及びＳＨ２で黒レベル及び白レベルのシエーデイングを補正する。
　【００３０】
　このときシエーデイング補正回路５２は、中央処理ユニツト１０の演算結果Ｄ１に基づいて、各色信号からシエーデイング補正用の補正信号ＳＨ２を作成する。これによりデイジタル信号処理回路２０は、このシエーデイング補正信号ＳＨ１、ＳＨ２をＶＡブロツク回路１６に帰還してシエーデイング補正するようになされている。
　【００３１】
　このときシエーデイング補正回路５０は、セレクタ３４Ｒ〜３４Ｂを介して補正信号ＳＨ１を出力するようになされ、セレクタ３４Ｒ〜３４Ｂは、選択信号ＳＥＬ２が立ち上がると補正信号ＳＨ１に代えてテスト信号を選択出力するようになされている。これにより撮像装置１においては、必要に応じてシエーデイング補正信号ＳＨ１及びテスト信号を選択出力し、ＶＡブロツク回路の調整作業を簡略化し得るようになされている。
　【００３２】
　データ検出回路５４は、ローパスフイルタ回路４８の出力信号について、その信号レベル等を検出することにより、フレア補正、ホワイトバランス調整用のデータを検出する。このうち絞り調整用のデータについて、データ検出回路５４は、欠陥検出回路３８のメモリ回路に検出結果のデータを格納するようになされ、このメモリ回路の内容を中央処理ユニツト１０からアクセスして簡易に絞り調整し得るようになされている。
　【００３３】
（３）ゲート信号生成回路
　さらにデータ検出回路５４は、図３に示すゲート信号生成回路６８でデータ検出用のゲート信号を生成する。これによりゲート信号生成回路６８は、ホワイトバランス調整モードにおいては、輝度信号ＡＤＹの信号レベルを基準にしてゲート信号ＧＴ１を出力することにより、ホワイトバランス調整領域を設定するのに対し、自己診断モード及び調整モードにおいては、テスト信号検出のタイミングを設定し得るようになされている。
　【００３４】
　すなわちゲート信号生成回路６８は、比較回路７０及び７２に輝度信号ＡＤＹを与え、ここで所定の比較基準ＰＫ及びＬＯＷを基準にして比較結果を出力する。ここで比較基準ＰＫ及びＬＯＷにおいては、動作モードに応じて中央処理ユニツト１０で設定し得るようになされ、ホワイトバランス調整モードにおいては、ピークレベル検出回路（図示せず）で検出されたピークレベルを基準にして第１の比較基準ＰＫが設定されるのに対し、この第１の比較基準ＰＫから所定レベルだけ低いレベルが第２の比較基準ＬＯＷに設定されるようになされている。
　【００３５】
　これにより比較回路７０及び７２においては、第１から第２の比較基準までの範囲で、この範囲内の輝度レベルの領域を検出し、この検出結果をレベルゲートＬＶＧＴとして出力する。かくしてゲート信号生成回路６８においては、この第１及び第２の比較基準ＰＫ及びＬＯＷを切り換えることにより、輝度信号ＡＤＹの信号レベルを基準にして種々のゲート信号ＬＶＧＴを生成し得るようになされている。
　【００３６】
　さらにゲート信号生成回路６８においては、Ｖカウンタ７４に垂直同期信号ＶＤを与えると共に、Ｖカウンタ７４及びＨカウンタ７６に水平同期信号ＨＤを与える。Ｖカウンタ７４は、垂直同期信号ＶＤでカウント値をリセツトした後、水平同期信号ＨＤを順次カウントし、これにより垂直走査方向についてラスタ走査位置を表すカウント値を出力する。これに対してＨカウンタ７６は、水平同期信号ＨＤでカウント値をリセツトした後、所定のクロツク信号を順次カウントし、これにより水平走査方向についてラスタ走査位置を表すカウント値を出力する。
　【００３７】
　比較回路７８は、２つの比較基準ＵＰ及びＤＷＮを基準にして、Ｖカウンタ７４のカウント値がこの２つの比較基準ＵＰ及びＤＷＮの範囲に入ると出力信号の信号レベルを立ち上げ、これにより垂直走査方向について、所定のラスタ走査位置で信号レベルが立ち上がるゲート信号を生成する。同様に比較回路８０は、２つの比較基準ＬＦＴ及びＲＧＴを基準にして、Ｈカウンタ７６のカウント値がこの２つの比較基準ＬＦＴ及びＲＧＴの範囲に入ると出力信号の信号レベルを立ち上げ、これにより水平走査方向について、所定のラスタ走査位置で信号レベルが立ち上がるゲート信号を生成する。
　【００３８】
　これによりゲート信号生成回路６８においては、撮像画像の所定領域で信号レベルが立ち上がる種々のゲート信号ＷＨＧＴを生成し得るようになされている。
　【００３９】
　ここで比較回路７８及び８０の比較基準ＵＰ、ＤＷＮ及びＬＦＴ、ＲＧＴは、中央処理ユニツト１０で設定し得るようになされ、これによりゲート信号生成回路６８においては、動作モードに応じてゲート信号ＷＨＧＴのタイミングを切り換え得るようになされている。
　【００４０】
　セレクタ８２は、中央処理ユニツト１０から出力される制御信号ＡＲＥ０〜ＡＲＥ２に基づいて動作を切り換え、自己診断モード等においては、比較回路７８及び８０から出力されるゲート信号ＷＨＧＴ又はブランキング信号ＢＬＫを選択出力するのに対し、ホワイトバランス調整モードにおいては、レベルゲートＬＶＧＴを選択出力する。
　【００４１】
　これによりゲート信号生成回路６８は、例えば比較回路７８及び８０の比較出力を選択して、垂直ブランキング期間中の所望の１水平走査期間で信号レベルが立ち上がるゲート信号ＧＴ１を出力し得るに対し、比較回路７８の比較出力を選択して映像期間の間信号レベルが立ち上がるゲート信号ＧＴ１を出力し得るようになされている。
　【００４２】
　なおこの実施例において、ゲート信号生成回路６８は、セレクタ８２の選択出力をゲート回路８６に与え、ここで中央処理ユニツト１０から出力されるモード切り換え信号ＭＳＬ０〜ＭＳＬ２に応動して、この選択出力から第１及び第２のゲート信号ＣＬＲ及びＬＣＨを生成するようになされている。これによりゲート信号化成回路６８においては、動作モードに応じてこのゲート信号ＣＬＲ及びＬＣＨを選択的に使用して、調整作業を簡略化すると共に、動作モード等を確認し得るようになされている。
　【００４３】
（４）レベル検出回路
　図４に示すようにレベル検出回路９０は、ゲート信号ＧＴ１を基準にして各種信号を検出するようになされ、これによりホワイトバランス調整モードにおいては、緑色色信号に対する赤色及び青色色信号の信号レベル差を検出する。すなわちレベル検出回路９０は、各色信号ＳＲ〜ＳＢをセレクタ９２に与え、その選択信号をラツチ回路９４を介して出力する。
　【００４４】
　ここでセレクタ９２においては、中央処理ユニツト１０から出力される制御信号に基づいて接点を切り換え、これによりこの実施例においてはセレクタ９２の接点を切り換えて各色信号ＳＲ〜ＳＢの信号レベルを検出し得るようになされている。これによりセレクタ９２は、ホワイトバランス調整モードにおいて、フイールド単位で接点を切り換え、赤色色信号ＳＲ及び青色色信号ＳＢをフイールド単位で交互に選択出力するようになされている。これに対して調整モード、自己診断モードにおいては、フイールド単位で順次接点を切り換え、これにより各色信号ＳＲ〜ＳＢを順次循環的に出力するようになされている。
　【００４５】
　なおセレクタ９２においては、この色信号ＳＲ〜ＳＢに加えてカウンタ回路９６の出力信号を入力するようになされ、これにより色信号ＳＲ〜ＳＢに代えて３フイールド周期で立ち上がる基準信号を選択出力し得るようになされている。
　ゲート回路９６は、ゲート信号ＧＴ１の信号レベルが立ち上がる期間の間、セレクタ９２の選択出力をラツチ回路９８に出力し、これによりホワイトバランス調整モードにおいて、ホワイトバランス調整領域の色信号ＳＲ及びＳＢを選択出力する。
　【００４６】
　これに対して自己診断モード、調整モードにおいて、ゲート回路９６は、同様にゲート信号ＧＴ１の信号レベルが立ち上がる期間の間、ラツチ回路９４の出力信号を送出し、これにより各色信号ＳＲ〜ＳＢについて、垂直ブランキング期間中の１水平走査期間、映像期間等の信号を選択的に出力するようになされている。
　【００４７】
　ゲート回路１００は、ラツチ回路１０２を介して緑色色信号ＳＧを受け、ゲート信号ＧＴ１の信号レベルが立ち上がる期間の間、この緑色色信号ＳＧをラツチ回路１０４に選択出力する。
　【００４８】
　減算回路１０６は、それぞれセレクタ１０８及び１１０を介してラツチ回路９８及び１０４の出力信号を受け、その減算出力を加算回路１１２に出力する。これによりホワイトバランス調整モードにおいて、レベル検出回路９０は、赤色色信号から緑色色信号を減算してなる第１の減算信号と、青色色信号から緑色色信号を減算してなる第２の減算信号とをフイールド周期で交互に出力するようになされている。
　【００４９】
　これに対して調整モード及び自己選択モードにおいて、セレクタ１１０は、出力信号の信号レベルを０レベルに立ち下げ、これにより減算回路１０６の減算処理を停止制御し、例えばブラツクレベル調整用のデータを検出し得るようになされている。なおレベル検出回路９０においては、ラツチ回路９８の出力信号に加えて所定の減算出力をセレクタ１０８に入力するようになされ、これによりセレクタ１０８の桜点を切り換えて、この減算出力の信号レベルを検出し得るようになされている。
　【００５０】
　加算回路１１２は、アンド回路１１４を介してラツチ回路１１６に出力信号を出力し、このラツチ回路１１６の出力信号を加算入力として帰還する。ここでアンド回路１１４においては、ホワイトバランス調整モードにおいて、垂直同期信号に同期してクリア信号ＣＬＲが入力されるようになされ、これにより加算回路１１２においては、フイールド周期でセレクタ１０８の出力信号を累積加算する。これによりレベル検出回路９０においては、ラツチ回路１１６を介して、ホワイトバランス調整領域における緑色色信号に対する赤色及び青色色信号の信号レベル差がフイールド周期で累積加算されるようになされている。
　【００５１】
　これに対して自己診断モード及び調整モードにおいては、減算回路１０６の減算処理が停止制御されることにより、ゲート信号ＧＴ１が立ち上がる期間の各色信号ＳＲ〜ＳＢについて、それぞれフイールド単位で信号レベル累積加算結果が得られるようになされている。
　【００５２】
　セレクタ１１８及び１２０は、それぞれフイールド周期で接点を切り換え、これにより続くラツチ回路１２２及び１２４に、それぞれフイールド周期でラツチ回路１１６の累積加算結果をラツチする。これによりレベル検出回路９０においては、ホワイトバランス調整モードにおいて、ホワイトバランス調整領域における緑色色信号に対する赤色及び青色色信号の信号レベル差累積加算結果を、それぞれラツチ回路１２２及び１２４にラツチし、この累積加算結果を中央処理ユニツト１０に出力する。これにより撮像装置１においては、この累積加算結果が０レベルになるように、ホワイトバランス調整する。
　【００５３】
　これに対して調整モードにおいて、レベル検出回路９０は、ゲート信号ＧＴ１が立ち上がる期間の間の各色信号について、その信号レベルの累積加算結果が順次循環的にラツチ回路１２２及び１２４に蓄積され、この実施例において撮像装置１においては、この累積加算結果に基づいて各回路ブロツクを調整する。
　【００５４】
　なお自己診断モードにおいて、アンド回路１１４に入力されるクリア信号ＣＬＲは、垂直ブランキング期間に介挿されたテスト信号ＴＳの立ち上がりと、映像期間の立ち上がりとで立ち上がるようになされ、これに対応してラツチ回路１２２及び１２４は、それぞれ各クリア信号ＣＬＲの立ち上がりのタイミングを基準した信号レベルの累積加算結果が蓄積されるようになされている。これにより撮像装置１においては、ラツチ回路１２２に格納された累積加算結果に基づいて、垂直ブランキング期間に介挿したテスト信号をモニタし、ラツチ回路１２４に格納された累積加算結果に基づいて、映像期間の信号レベルを検出し、これにより例えば絞り６を制御しながら回路ブロツクの異常を検出し得るようになされている。
　【００５５】
　さらにこの実施例において、レベル検出回路９０は、フリツプフロツプ回路（ＦＦ）１２６にラツチ回路９８の出力信号を与え、これによりフリツプフロツプ回路１２６を介して、例えばホワイトバランス調整モードにおいて、ホワイトバランス調整領域の範囲で、固体撮像素子２の画素単位で信号レベルが立ち上がる検出出力を生成する。
　【００５６】
　カウンタ１３０は、セレクタ１２８を介してフリツプフロツプ回路１２６の信号を受け、フイールド周期でこの出力信号をカウントすることにより、ゲート信号ＧＴ１が立ち上がる期間の間の画素数を検出する。これにより撮像装置１においては、ラツチ回路１２２及び１２４の累積加算結果をカウンタ１３０のカウント値で割り算して、１画素単位の信号レベルを簡易に検出し得るようになされている。
　【００５７】
　なおこの実施例において、セレクタ１２８は所定の制御信号ＣＳＬに基づいて接点を切り換え、これによりレベル検出回路９０は、ホワイトバランス調整モード以外の動作モードにおいて、必要に応じて種々のカウント結果を出力し得るようになされている。
　【００５８】
　このセレクタ１２８の動作の切り換えに伴い、セレクタ１２８においては、比較回路１３２を介してラツチ回路９８の出力信号を入力するようになされ、この比較回路１３２においては、中央処理ユニツト１０で設定される比較基準ＰＲＫを基準にしてラツチ回路９８の出力信号について比較結果を出力するようになされている。これによりレベル検出回路９０においては、必要に応じて種々の基準レベルを設定し、この基準レベルを越える各色信号の画素数等を検出し得るようになされている。
　【００５９】
（５）中央処理ユニツト
　ここで中央処理ユニツト１０は、撮像装置１の組み立て及びメンテナンス時、所定の治具を介して入力されるシリアルデータに基づいて動作を切り換え、これにより調整モードに切り換わる。
　【００６０】
　この状態で中央処理ユニツト１０は、続いて入力される制御データに基づいて各調整項目に応じた処理プログラムを実行し、これにより各調整項目を自動的に調整する。
　【００６１】
　ここで図５に示すようにブラツクセツト調整において、中央処理ユニツト１０は、ステツプＳＰ１からステツプＳＰ２に移り、絞り６をクローズした後、ステツプＳＰ３に移る。
　【００６２】
　ここで中央処理ユニツト１０は、ゲート信号生成回路６８に制御信号を出力し、これにより比較基準ＬＦＴ、ＲＧＴ、ＵＰ、ＤＷＮを設定すると共に、セレクタ８２の接点を切り換える。これにより中央処理ユニツト１０は、撮像画像の有効領域で信号レベルが立ち上がるゲート信号ＧＴ１を生成し、続いてステツプＳＰ４に移る。
　【００６３】
　ここで中央処理ユニツト１０は、ラツチ回路１２２及び１２４にラツチされた累積加算結果を取り込んだ後、この累積加算結果をそれぞれカウンタ１３０のカウント値で割り算する。すなわち撮像装置１においては、絞り６が完全にクローズされていることにより、ラツチ回路１２２又は１２４の累積加算結果をカウンタ１３０のカウント値で割り算して、１画素単位で黒レベルを検出することができる。
　【００６４】
　この検出結果が得られと、中央処理ユニツト１０は、続くステツプＳＰ５に移り、ここでエンコーダ２６に出力する色信号の黒レベルが値２０Ｈになるように、補正データＤＰを生成し、この補正データＤＰをシエーデイング補正回路５０に出力する。ここで図６に示すように各色信号ＳＲ〜ＳＢは、ＶＡブロツク回路１６において、加算回路１３２で黒レベルのシエーデイング補正信号ＳＨ１が加算された後、ゲインアンプ１３４で増幅され、続く乗算回路１３６で白レベルのシエーデング補正信号ＳＨ２が乗算される。
　【００６５】
　さらに色信号ＳＲ〜ＳＢは、続くアナログデイジタル変換回路１８でデイジタル信号に変換された後、加算回路４２Ｒ〜４２Ｂでフレア補正信号ＤＦが加算されてフレアが補正され、続くビデオプロセス回路２４の加算回路１４０でペデスタルレベルが設定される。ここで中央処理ユニツト１０においては、黒レベル検出結果に基づいて、シエーデング補正信号ＳＨ１の直流レベルを補正し、このシエーデング補正信号ＳＨ１を加算回路１３２で色信号に加算することにより、黒レベルのシエーデングを補正すると共に黒レベルを設定するようになされ、これにより簡易な構成で黒レベルを自動的に調整する。
　【００６６】
　続いて中央処理ユニツト１０は、このシエーデング補正信号ＳＨ１を補正した直流レベルをメモリ回路に格納した後、ステツプＳＰ６に移り、ここで再びラツチ回路１２２及び１２４の累積加算結果を取り込んだ後、この累積加算結果をそれぞれカウンタ１３０のカウント値で割り算し、これにより１画素単位の黒レベルを検出する。
　【００６７】
　すなわちこのようにアナログ信号形式の色信号について直流レベルを補正する場合、ノイズの影響等により、高い精度で設定することが困難な特徴がある。さらにデイジタルアナログ変換回路２２を介してシエーデング補正信号ＳＨ１を出力することにより、このデイジタルアナログ変換回路２２の分解能以上には、精度を向上し得ない欠点もある。
　【００６８】
　これに対してこの実施例においては、シエーデング補正の後、ゲインアンプ１３４で色信号ＳＲ〜ＳＢを増幅することにより、このゲインアンプ１３４の利得を大きくすると、その分黒レベルの微小なオフセツトが増幅されて出力され、後段のビデオプロセス回路２４等に大きな影響を与える。さらにこのようにアナログ信号形式の色信号について直流レベルを補正する場合、一定値に収束させるまでに時間を要する欠点もある。
　【００６９】
　このため中央処理ユニツト１０においては、黒レベルの再検出結果に基づいてビデオプロセス回路２４に補正データＤＰを出力し、これによりＶＡブロツク回路１６で黒レベルを粗調整した後、デイジタル信号処理系で黒レベルを微調整する。このとき中央処理ユニツト１０は、続くステツプＳＰ７において、黒レベルの再検出結果に基づいてペデスタルレベル設定用の補正データＤＰの値を補正し、これにより加算回路１４０で補正データを加算して、ペデスタルレベルを所定値に設定すると共に、併せて黒レベルを所定レベルに設定する。
　【００７０】
　これにより中央処理ユニツト１０は、黒レベル検出結果に基づいて、黒レベルを自動的に調整するようになされ、このときアナログ系で粗調整した後、デイジタル系で微調整することにより、簡易かつ確実に黒レベルを調整することができ、又調整精度も向上することができる。さらにこのときガンマ補正前のペデスタルレベルの設定段階で黒レベルを微調整することにより、その分一段と調整精度を向上することができる。
　【００７１】
　このとき中央処理ユニツト１０は、偶数フイールド及び奇数フイールド毎に黒レベル検出結果を得、この黒レベル検出結果に基づいて偶数フイールド及び奇数フイールド間で補正データＤＰを切り換える。すなわち固体撮像素子の出力信号においては、フイールド間で黒レベルが変化する場合があり、この場合フイールド毎に黒レベルの調整を切り換える必要がある。
　【００７２】
　ところがこの変化は、フイールド単位で繰り返されることにより、アナログ信号処理系では、完全に補正し得ない特徴がある。このため中央処理ユニツト１０は、偶数フイールド及び奇数フイールド間で、黒レベル微調整用の補正データＤＰを切り換えることにより、フイールド間の黒レベルの変動を補正する。
　【００７３】
　かくして中央処理ユニツト１０は、補正データＤＰの内容及びシエーデイング補正信号の補正値をメモリ回路に格納した後、ステツプＳＰ８に移る。ここで中央処理ユニツト１０は、全ての色信号について、黒レベルを設定したか否か判断し、この場合否定結果が得られることにより、ステツプＳＰ９に移り、チヤンネルを切り換えてステツプＳＰ４に戻る。
　【００７４】
　これにより中央処理ユニツト１０は、ステツプＳＰ４−ＳＰ５−ＳＰ６−ＳＰ７−ＳＰ８−ＳＰ９−ＳＰ４の処理ループを繰り返し、全ての色信号について黒レベルを補正すると、ステツプＳＰ８において肯定結果が得られることにより、続いてステツプＳＰ１０に移る。
　【００７５】
　ここで中央処理ユニツト１０は、全ての利得について黒レベルを設定したか否か判断し、この場合否定結果が得られることにより、ステツプＳＰ１１に移り、ゲインアンプ１３４の利得を切り換える。すなわちこの実施例において、撮像装置１は、所定の操作子を操作することにより、通常動作状態に比して色信号の増幅率を６〔ｄＢ〕単位で２段階に切り換え得るようになされ、これにより画面全体の明るさを明るくし得るようになされている。従つて加算回路１３２等にオフセツト電圧がある場合、この利得の切り換えにに伴い、黒レベルも変動する。
　【００７６】
　このためこの実施例において中央処理ユニツト１０は、各利得毎に黒レベルを調整し、その内容をメモリ回路に蓄積した後、ステツプＳＰ１２に移り、この処理手順を終了し、これにより各色信号の黒レベルを補正してブラツクセツト調整する。これにより中央処理ユニツト１０は、メモリ回路に格納した直流レベルに基づいて、動作状態で各利得毎にシエーデイング補正信号ＳＨ１の直流レベル及びペデスタルレベル補正用の補正データＤＰを補正する。これにより中央処理ユニツト１０は黒レベルを補正してブラツクセツト調整するようになされ、併せて色信号のシエーデイングを補正処理及びペデスタルレベルの設定処理を実行するようになされている。
　【００７７】
　すなわち図７に示すように、中央処理ユニツト１０は、動作状態において、シエーデイング補正信号ＳＨ１の直流レベルを値ＢＳＥＴの分だけシフトさせ、このシフト量を黒レベル検出結果に基づいて補正し、これにより各色信号の黒レベルを粗調整する。さらに中央処理ユニツト１０は、メモリ回路の内容に応じて補正データＤＰの値を切り換え、これにより各色信号の黒レベルを微調整し、全体としてブラツクセツト調整する。これにより撮像装置１においては、自動的にブラツクセツト調整し得、その分組み立て作業及びメンテナンス作業を簡略化することができる。
　【００７８】
　さらにこの実施例において、中央処理ユニツト１０は、水平ブランキング期間の所定のタイミングでシエーデイング補正信号ＳＨ１にテスト信号ＴＳを介挿し、これによりＶＡブロツク回路１６からデイジタル信号処理回路２０に至までの回路ブロツクについて、動作状態をモニタする。すなわち中央処理ユニツト１０は、動作状態において、所定レベルに保持されたテスト信号ＴＳを出力するようにテスト信号発生回路３０を設定し、水平ブランキング期間の所定のタイミングで、セレクタ３４Ｒ〜３４Ｂの接点をテスト信号ＴＳ側に切り換える。
　【００７９】
　これにより中央処理ユニツト１０は、水平ブランキング期間の所定のタイミングで、シエーデイング補正信号ＳＨ１の信号レベルをブランキングレベルＢＬＫから所定の信号レベルに立ち上げ、このシエーデイング補正信号ＳＨ１を加算回路１３０に出力する。
　【００８０】
　従つてＶＡブロツク回路１６から出力される各色信号においては、映像期間の間、シエーデイング補正信号ＳＨ１に基づいてシエーデイング補正されるのに対し、テスト信号ＴＳが介挿された期間においては、このテスト信号ＴＳに応じた信号レベルに立ち上がる。
　【００８１】
　この状態で中央処理ユニツト１０は、データ検出回路５４に制御信号を出力し、テスト信号ＴＳの立ち上がり及び映像期間の立ち上がりに同期してクリア信号ＣＬＲの信号レベルを立ち上げ、これによりテスト信号及び映像期間の色信号についてそれぞれ信号レベルの累積加算結果を検出する。さらに中央処理ユニツト１０は、この累積加算結果をそれぞれラツチ回路１２２及び１２４に格納し、このうちラツチ回路１２２に格納したテスト信号についての累積加算結果を取り込で信号レベルが規定値か否か判断する。
　【００８２】
　ここでゲインアンプ１３４等が故障した場合、データ検出回路５４に入力されるテスト信号ＴＳにおいては、その故障の内容に応じて信号レベルが変化し、これによりテスト信号の信号レベル検出結果に基づいてＶＡブロツク回路１６からアナログデイジタル変換回路１８までの回路ブロツクについて、故障の有無を検出することができる。
　【００８３】
　これにより中央処理ユニツト１０は、信号レベルが規定値と異なる場合、ビユーフアインダ内のモニタ画面にエラーメツセージを表示し、カメラマンに警告を発生する。これにより撮像装置１においては、故障の初期段階で迅速に手当てすることができ、その分使い勝手を向上することができる。
　【００８４】
　このときシエーデイング補正信号ＳＨ１の水平ブランキング期間に介挿してテスト信号ＴＳをＶＡブロツク回路１６に出力することにより、単独でテスト信号ＴＳを帰還する場合に比して全体構成を簡略化することができる。
　【００８５】
（６）実施例の効果
　以上の構成によれば、黒レベル検出結果に基づいて黒レベルを所定値に設定することにより、簡易な構成でブラツクセツトを自動的に調整し得、その分組み立て作業、メンテナンス作業を簡略化することができる。このときシエーデイング補正信号の信号レベルを補正して黒レベルを粗調整すると共に、ペデスタルレベルの補正データＤＰを補正して微調整することにより、簡易かつ高い精度で黒レベルを調整し得、これにより簡易な作業でブラツクセツト調整の精度を向上することができる。
　【００８６】
（７）他の実施例
　なお上述の実施例においては、ペデスタルレベルを設定する補正データＤＰを補正して黒レベルを微調整する場合について述べたが、本発明はこれに限らず、フレア補正データＤＦを補正して、黒レベルを微調整してもよい。すなわちフレア補正データにおいては、入射光量に応じて補正データＤＦの値が変化することにより、黒レベル検出結果に基づいて、この補正データＤＦの値をオフセツトし、これにより黒レベルを所定レベルに設定する。このようにしても、高い精度でブラツクセツト調整することができる。
　【００８７】
　さらに上述の実施例においては、ペデスタルレベル設定用の加算回路を流用して黒レベルを微調整する場合について述べたが、本発明はこれに限らず、別途専用の加算回路を設け、この加算回路の加算値を切り換えることにより、黒レベルを微調整してもよい。
　【００８８】
　さらに上述の実施例においては、シエーデイング補正用の加算回路を流用して黒レベルを粗調整する場合について述べたが、本発明はこれに限らず、別途専用の加算回路を設け、この加算回路の加算信号を切り換えることにより、黒レベルを粗調整してもよい。
　【００８９】
　【００９０】
　さらに上述の実施例においては、撮像画面の有効領域で黒レベルを検出して自動的に調整する場合について述べたが、本発明はこれに限らず、映像期間について黒レベルを検出して調整する場合、さらには有効領域内に所定領域を設定してこの領域内で黒レベルを検出する場合等、広く適用することができる。
　【００９１】
　さらに上述の実施例においては、各色信号の黒レベルを所定の基準レベルに調整する場合について述べたが、本発明はこれに限らず、例えば緑色色信号を基準にしてこの黒レベルに赤色、青色色信号の黒レベルを設定することにより、ブラツクバランスを調整するようにしてもよい。
　【００９２】
　さらに上述の実施例においては、水平ブランキング期間にテスト信号を介挿して回路ブロツクの動作をモニタする場合について述べたが、本発明はこれに限らず、テスト信号を省略してモニタ動作を省略するようにしてもよい。
　【００９３】
　【発明の効果】
　上述のように本発明によれば、信号レベル検出回路の黒レベル検出結果に基づいて、アナログ信号処理回路で撮像手段の出力の黒レベルを自動的に粗調整した後、デイジタル信号処理回路でデイジタル信号の黒レベルを自動的に微調整することにより、アナログ信号処理回路のみで黒レベルの調整を行う場合のように、黒レベルのオフセツトが増幅されることによって黒レベル調整の精度が劣化することを回避することができ、これによりブラツクセツト調整の精度を向上することができる撮像装置を得ることができる。
【図面の簡単な説明】
　【図１】
　本発明の一実施例による撮像装置を示すブロツク図である。
　【図２】
　そのデイジタル信号処理回路を示すブロツク図である。
　【図３】
　ゲート信号生成回路を示すブロツク図である。
　【図４】
　レベル検出回路を示すブロツク図である。
　【図５】
　黒レベルの調整の説明に供するフローチヤートである。
　【図６】
　その説明に供するブロツク図である。
　【図７】
　その動作の説明に供する信号波形図である。
　【符号の説明】
　１……撮像装置、２……固体撮像素子、１０……中央処理ユニツト、１６……ＶＡブロツク回路、２０……デイジタル信号処理回路、５０、５２……シエーデイング補正回路、５４……データ検出回路、６８……ゲート信号生成回路、９０……レベル検出回路。